(57)【要約】      （修正有）【課題】後頭部や側頭部や首筋を直射日光から遮り、該後頭部などに強い冷風を確実に吹き付けられ、頭髪を巻き込まず、且つ快適に使用でき、組立、分解、および収納が容易な頭部冷却用日除けを提供する。【解決手段】横長の長方形状で、頭部側の内側面４および遮光性の外側面３を有するシート状の日除け本体２と、本体の中央付近の外・内側面の間を貫通する貫通孔と、貫通孔の外側面３側に設けた外通気枠と、貫通孔の内側面４側に設けられ、中央側の円形状板１５および円形状板と貫通孔の周縁との間に位置する複数の通気孔１７を含む内通気枠１４と、円形状板１５に取り付けたモーターおよびモーターの回転軸に固定したファンと、本体の内側面４に縫い付けられ、且つ内通気枠１４を覆うメッシュシート２０と、本体の外側面３に設けられ、本体をヘルメットの周囲に吊り下げる支持手段２６と、を備える。【選択図】図１
0003210438.tif 000002
【実用新案登録請求の範囲】
【請求項１】
利用者の頭部を日光から遮りつつ冷却する頭部冷却用日除け(１)であって、
側面視が横長の長方形状を呈し、頭部に隣接する内側面(４)および日光を遮る外側面(３)を有するシート状の日除け本体(２)と、
上記日除け本体(２)における横方向の中央付近の内側面(４)と外側面(３)との間を貫通する少なくとも１つの貫通孔(７)と、
上記貫通孔(７)の外側面(３)側に設けた外通気枠(８)と、
上記貫通孔(７)の内側面(４)側に設けられ、前記貫通孔(７)の中央側に位置する円形状板(１５)、および該円形状板(１５)と前記貫通孔(７)の周縁との間に位置する複数の通気孔(１７)を含む内通気枠(１４)と、
上記内通気枠(１４)における円形状板(１５)の内側面に取り付けられ、且つリード線(Ｌ)を介して外部から給電可能なモーター(Ｍ)、および該モーター(Ｍ)の回転軸に固定したファン(Ｆ)と、
上記日除け本体(２)の内側面(４)に縫い付けられ、且つ該内側面(４)側に突出する上記内通気枠(１４)を覆うメッシュシート(２０)と、
上記日除け本体(２)の外側面(３)に設けられ、該日除け本体(２)を利用者のヘルメット(Ｈ)あるいは帽子の周囲に吊り下げる支持手段(２６)と、を備えている、
ことを特徴とする頭部冷却用日除け(１)。
【請求項２】
前記メッシュシート(２０)は、側面視が矩形状を呈し、その上辺(２３)が開口するポケット(Ｐ)形態で前記日除け本体(２)の内側面(４)に縫い付けられている、
ことを特徴とする請求項１に記載の頭部冷却用日除け(１)。
【請求項３】
前記外通気枠(８)と前記内通気枠(１４)とは、前記日除け本体(２)における貫通孔(７)の周縁を挟んで互いに連結可能で且つ分離可能とされている、
ことを特徴とする請求項１または２に記載の頭部冷却用日除け(１)。
【請求項４】
前記モーター(Ｍ)が取り付けられた前記内通気枠(１４)の円形状板(１５)の周辺から延び出たリード線(Ｌ)は、前記ポケット(Ｐ)形態であるメッシュシート(２０)の上辺(２３)の開口部を通って外部に延び、当該リード線(Ｌ)の先端(２８)が電池ボックス(３０)に接続可能とされている、
ことを特徴とする請求項１乃至３の何れか一項に記載の頭部冷却用日除け。
【請求項５】
前記支持手段(２６)は、横方向に一対以上である縦長の帯材(２６)からなり、該帯材(２６)ごとの外側面に面状ファスナー(２７)を設けているか、あるいは、前記帯材(２６)ごとの上端部に側面視が逆Ｕ字形状のフック(３４)を取り付けている、
ことを特徴とする請求項１乃至４の何れか一項に記載の頭部冷却用日除け(１)。
【考案の詳細な説明】
【技術分野】
【０００１】
本考案は、例えば、夏季の屋外における炎天下などで作業する作業者などの後頭部や側頭部を冷却するための頭部冷却用日除けに関する。
【背景技術】
【０００２】
例えば、熱中症から頚部（首）を保護するため、ヘルメットの後頭部に設けた水平バンドから利用者の後頭部の外側に吊り下げられ、全体が箱形状の一体型送風機と、該送風機の内側に設けたモーターおよびファンと、前記送風機の後頭部側に張り付けたシート状の髪巻込み防止カバーと、該髪巻込み防止カバーに取り付けられ且つ上記送風機の側面に設けた噴霧器とホースを介して連通している霧噴射口とを含む涼風機ヘルファンが提案されている（例えば、特許文献１参照）。
【０００３】
しかし、前記涼風機ヘルファンは、利用者の後頭部の外側に接近する全体が箱形状の前記一体型送風機を、ヘルメットの後頭部から吊り下げて支持している。そのため、炎天下などで様々な作業を行う利用者の後頭部や側頭部や首筋に対して、直射日光が直に照りつける。しかも、上記一体型送風機の両側面に電池ボックスや前記噴霧器などを取り付けているので、これらを含む上記一体型送風機全体の重量が大きくなる。その結果、利用者が被着する上記ヘルメットに対し、上記一体型送風機が前後や左右などに揺れ動くため、当該利用者にとって煩わしく、所要の作業などに集中しにくくなったり、首筋を痛めてしまうおそれもあった。
【先行技術文献】
【特許文献】
【０００４】
【特許文献１】特開２０１３−１００６２５号公報（第１〜４頁、図１〜３）
【考案の概要】
【考案が解決しようとする課題】
【０００５】
本考案は、背景技術で説明した問題点を解決し、利用者の後頭部や側頭部や首筋を直射日光から遮り、該後頭部などに対し強い冷風を確実に吹き付けられ、頭髪を巻き込んだり、首筋を痛めず、快適に使用でき、組立、分解、および収納が容易な頭部冷却用日除けを提供する、ことを課題とする。
【課題を解決するための手段および考案の効果】
【０００６】
本考案は、前記課題を解決するため、ヘルメットに吊り下げられ且つ日光を遮るシート状の日除け本体と、該日除け本体を貫通する貫通孔に連結および分離可能に取り付ける内・外通気枠と、これらの内側に配置したモーターおよびファンと、上記日除け本体の内側面に突出する上記内通気枠を覆うメッシュシートとによって頭部冷却用日除けを構成すること、に着想して成されたものである。
【０００７】
即ち、本考案の頭部冷却用日除け（請求項１）は、利用者の頭部を日光から遮りつつ冷却する頭部冷却用日除けであって、側面視が横長の長方形状を呈し、頭部に隣接する内側面および日光を遮る外側面を有するシート状の日除け本体と、該日除け本体における横方向の中央付近の内側面と外側面との間を貫通する少なくとも１つの貫通孔と、該貫通孔の外側面側に設けた外通気枠と、前記貫通孔の内側面側に設けられ、前記貫通孔の中央側に位置する円形状板、および該円形状板と前記貫通孔の周縁との間に位置する複数の通気孔を含む内通気枠と、該内通気枠における円形状板の内側面に取り付けられ且つリード線を介して外部から給電可能なモーター、および該モーターの回転軸に固定したファンと、上記日除け本体の内側面に縫い付けられ、且つ該内側面側に突出する上記内通気枠を覆うメッシュシートと、上記日除け本体の外側面に設けられ、該日除け本体を利用者のヘルメットあるいは帽子の周囲に吊り下げる支持手段と、を備えている、ことを特徴とする。
【０００８】
前記頭部冷却用日除けによれば、以下の効果（１）〜（３）が得られる。
（１）利用者の後頭部や側頭部や首筋を直射日光から遮りつつ、該後頭部などに対して強い冷風を確実に吹き付けることによって、炎天下などにおける頭部の発汗やこれに伴う不快感を抑制して、所要の作業などを適切に行い易くなる。
（２）前記シート状の日除け本体は、その内側面と外側面との間を貫通する前記貫通孔に設けた外通気枠および内通気枠と、該内通気枠に取り付けたモーターとファンのみを有し、前記涼風機ヘルファンの一体型送風機に比較して軽量で、且つ全体が平面形状であるため、利用者の首筋を痛めず、疲労感を低減し易くなる。
（３）前記日除け本体の内側面側（利用者の頭部側）に突出する内通気枠を前記メッシュシートが覆っているので、利用者の後頭部などの頭髪を前記ファン側に巻き込んで損傷する事態を確実に防ぐことが可能となる。
【０００９】
尚、前記日除け本体の外側面は、日光、風、および雨水を遮る合成樹脂製のシートからなり、該日除け本体の内側面は、肌や髪に触れてもこれらを刺激しない微細なフェルト状で且つ平らな生地（布地）からなる。上記外側面と内側面との間には、例えば、断熱性の薄い層材を挿入しても良い。
また、前記貫通孔は、側面視が円形で且つその外側面の開口部に、前記外通気枠の周枠を固定していても良い。
更に、前記貫通孔は、２つ以上を前記日除け本体の横方向に沿って連設するか、あるいは、互いに離して併設するようにしても良い。
また、前記外通気枠および内通気枠は、合成樹脂の射出成形材からなる。
【００１０】
更に、前記メッシュシートは、微細な複合繊維を織り上げた多孔性シートであり、個々の孔は、側面視で六角形状あるいは楕円形状を呈し、該孔のサイズは、長軸が約３ｍｍで且つ短軸が約２ｍｍ程度である。該メッシュシート全体の開口率は、少なくとも８０％、より望ましくは９０％、あるいはそれ以上である。
加えて、前記ファンを有する前記モーターは、前記内通気枠の円形状板の内側面に取り付けられ、後述するように、該円形状板の周辺から延び出たリード線を介して、例えば、利用者の上着のポケットなどに収容された電池ボックスに内蔵され、且つ予め充電済みのリチウム電池などから電力を給電される。
【００１１】
また、本考案には、前記メッシュシートは、側面視が矩形状を呈し、その上辺が開口するポケット形態で前記日除け本体の内側面に縫い付けられている、頭部冷却用日除け（請求項２）も含まれる。
これによれば、上記メッシュシートの上辺に開口するポケットを通じて、前記内通気枠から延びた前記リード線を前記日除け本体の外側へ容易に引き出せるので、該リード線を痛めずに上着などのポケット内に収納した電池（電源）に導通可能に接続できる。従って、前記効果（１），（２）を一層確実に得られる。
【００１２】
更に、本考案には、前記外通気枠と前記内通気枠とは、前記日除け本体における貫通孔の周縁を挟んで互いに連結可能で且つ分離可能とされている、頭部冷却用日除け（請求項３）も含まれる。
これによれば、前記リード線やモーターなどを含む上記内通気枠を、前記メッシュシートのポケットから該メッシュシートの内側に挿入して、上記外通気枠と連結可能としたり、あるいは、点検時などにおいて、外通気枠から分離した内通気枠を前記リード線などと共に、外部に容易に取り出せる。従って、本頭部冷却用日除けの組立、分解、および収納を容易に行うことができる（効果（４））。
尚、前記外通気枠と内通気枠とは、ネジ結合あるいは凹凸嵌合により互いに連結可能および分離可能とされている。前記ネジ結合や凹凸嵌合は、１周以上または半周以下の雄ネジおよび雌ネジによるほか、連結部分の円周方向に沿って複数箇所の凹部と凸部との嵌合によっても成される形態としても良い。
【００１３】
また、本考案には、前記モーターが取り付けられた前記内通気枠の円形状板の周辺から延び出たリード線は、前記ポケット形態であるメッシュシートの上辺の開口部を通って外部に延び、当該リード線の先端が電池ボックスに接続可能とされている、頭部冷却用日除け（請求項４）も含まれる。
これによれば、前記日除け本体側には、前記モーターおよびファンのみを設け、重量が嵩む電池を内蔵あるいは収納した電池ボックス（電池ケース）は、利用者の上着のポケットなどに収容し、上記モーターと電池ボックスとの間を、前記メッシュシートの上辺から外部に延び出たリード線を介して電気的に接続できる。従って、前記効果（２）を一層確実に奏することが可能となる。
【００１４】
加えて、本考案には、前記支持手段は、横方向に一対以上である縦長の帯材からなり、該帯材ごとの外側面に面状ファスナーを設けているか、あるいは、前記帯材ごとの上端部に側面視が逆Ｕ字形状のフックを取り付けている、頭部冷却用日除け（請求項５）も含まれる。
これによれば、前記内・外通気枠、モーター、ファンを有する日除け本体を、利用者が頭部に被着するヘルメットや帽子などの周囲に、容易且つ迅速に吊り下げて支持することができる（効果（５））。
尚、前記面状ファスナーは、平面方向に沿って多数の係止片が密設されている面状係止ファスナーないし面状係止テープ（登録商標：マジックテープ）である。
また、前記逆Ｕ字形状のフックは、前記帯材ごとの上端部に取り付けた強化樹脂製あるいは軽金属製などからなる鈎形材である。
【図面の簡単な説明】
【００１５】
【図１】本考案による一形態の頭部冷却用日除けをその日除け本体の内側面側を示す斜視図。
【図２】上記頭部冷却用日除けにおける日除け本体の外側面側を示す斜視図。
【図３】（Ａ）は図１，図２中のＸ−Ｘ線の矢視に沿った部分垂直断面図、（Ｂ）は（Ａ）中の構成要素を個別に分離して示す垂直断面図。
【図４】前記頭部冷却用日除けの一使用形態を示す斜視図。
【図５】（Ａ）は図４中の後頭部付近を示す部分垂直断面図、（Ｂ）は異なる形態の支持手段を示す（Ａ）と同様な部分垂直断面図。
【考案を実施するための形態】
【００１６】
以下において、本考案を実施するための形態について説明する。
図１は、本考案による頭部冷却用日除け１における日除け本体２の内側面４側を示す斜視図、図２は、前記日除け本体２の外側面３側を示す斜視図である。尚、以下において、内側とは利用者の頭部側を、外側とはその反対側を指している。
上記頭部冷却用日除け１は、図１，図２に示すように、側面視で横長の長方形状を呈し、外側面３および利用者の頭部（図示せず）に隣接する内側面４を有するシート状の日除け本体２と、上記外側面３の中央付近の下辺６側に設けられた外通気枠８と、上記内側面４側で前記外通気枠８と対向する位置に設けられた内通気枠１４と、該内通気枠１４の全体を覆うメッシュシート２０とを備えている。
【００１７】
前記日除け本体２は、例えば、縦横が約１５ｃｍ×約２２ｃｍのサイズを有し、日光、風、および雨水を遮る合成樹脂のシートからなる外側面３と、微細なフェルト状の繊維群の生地からなる内側面４と、をこれら両者の四辺に沿って縫い合わせた柔軟性を有するシート状体である。
図１乃至図３（Ａ），（Ｂ）に示すように、上記日除け本体２の横方向の中央付近には、その外側面３と内側面４との間を貫通する円形（例えば、内径：約７ｃｍ）の貫通孔７が開設されている。該貫通孔７の外側面３側に前記外通気枠８が固定され、且つ前記貫通孔７の内側面４側に前記内通気枠１４が前記外通気枠８に対向して配置されている。かかる外通気枠８と内通気枠１４とは、上記貫通孔７の周縁を内外の両側から挟んで、互いに分離可能に連結されている。尚、外通気枠８と内通気枠１４とは、ＰＥやＰＰなどの合成樹脂の射出成形材からなる。
【００１８】
前記外通気枠８は、図２に示すように、側面視が円環形で且つ前記貫通孔７の周縁に固定された周枠９と、該周枠９の内側に配設され、貫通孔７の中心側に求心状に延び且つ円環部を含む複数の枠片１０とを一体に有し、前記枠片１０同士間や周枠９との間に複数の通気孔１１を有している。図３（Ａ），（Ｂ）に示すように、上記周枠９から貫通孔７側に向かってリング枠１２が水平に延び、該リング枠１２の外周面には、その円周方向に沿って雌ネジ１３が刻設されている。
また、前記内通気枠１４は、図１，図３（Ａ），（Ｂ）に示すように、前記貫通孔７の中央側に位置する円形状板１５と、貫通孔７の周縁に隣接する側面視が円環形の周枠１８と、該周枠１８から内側に向かって水平に延びたリング枠１６と、該リング枠１６の先縁と上記円形状板１５の周辺との間を放射状に連結する複数の枠片１７ｆと、これらの間に位置する複数の通気孔１７とを有している。
尚、上記リング枠１９の内周面には、前記外通気枠８側の雌ネジ１３とネジ結合する雄ネジ１９が全周に沿って、または複数箇所に分かれて刻設されている。
【００１９】
更に、図３（Ａ），（Ｂ）に示すように、前記内通気枠１４における円形状板１５の内側面には、軸方向が短い円柱形のモーターＭが取り付けられ、該モーターＭの回転軸の先端側には、スピナーＳを介して複数枚のファンＦが放射方向に沿って延びている。上記モーターＭ、スピナーＳ、およびファンＦは、前記円形状板１５とリング枠１６との内側に位置している。そのため、円形状板１５、リング枠１６、枠片１７ｆ、および通気孔１７は、前記日除け本体２よりも内側に突出している。上記円形状板１５の周辺からは、上記モーターＭに給電するためのリード線Ｌが１つの上記通気孔１７と、次述するポケットＰ形態であるメッシュシート２０の上辺とを通って内側（外部）に延び出ている。該リード線Ｌの先端に位置する端子（先端）２８は、図１に示すように、利用者の上着などのポケット（図示せず）内に収納される電池ボックス３０のソケット３１に接続される。
尚、上記電池ボックス３０には、例えば、リチウム電池が内蔵されており、その上面には、電圧などの調節部を含むスイッチ３２が配置されている。
【００２０】
また、前記メッシュシート２０は、図１，図３（Ａ），（Ｂ）に示すように、側面視が長方形（矩形）状を呈し、前記内通気枠１４の内側部分全体を覆うように、前記日除け本体２の内側面４に、下辺と左右の側辺とに設けた重ね部分２４が縫い付けられている。該メッシュシート２０の上辺２３は、上側に開口するポケットＰ形態とされ、前記外通気枠８から分離された内通気枠１４を、前記リード線Ｌと共に、該ポケットＰを通じて取り出し可能としている。
上記メッシュシート２０は、微細な複合繊維２１を織り上げ且つ多数の孔２２を有する多孔性シートで、個々の孔２２は、側面視が六角形状または楕円形状を呈し、該孔２２のサイズは、長軸が約３ｍｍで且つ短軸が約２ｍｍ程度である。当該メッシュシート２０の開口率は、少なくとも８０％、より望ましくは９０％乃至それ以上である。尚、図１中のメッシュシート２０は、その中央部が省略されている。
【００２１】
加えて、図１，図２に示すように、前記日除け本体２の外側面３における上辺５側には、左右一対である縦長の帯材（保持手段）２６が、それらの上半部を前記上辺５よりも上方に突出するように、左右対称に縫い付けられている。かかる帯材２６ごとの外側面の全体には、面状ファスナー２７が設けられている。
そのため、上記帯材２６の上半部を、後述するように、利用者が頭部に被着したヘルメットの内周面に沿って配置された顎掛け紐支持用のリング帯（何れも図示せず）に巻き付けることによって、この頭部冷却用日除け１を上記ヘルメットの周辺から吊り下げて、容易且つ迅速に支持することが可能となる。
一方、不使用時には、上記帯材２６の上半部を外側から真下に折り曲げて、該上半部と下半部の面状ファスナー２７同士を互いに係止させて折り畳める。尚、上記面状ファスナー２７は、平面方向に沿って多数の係止片が密接している面状係止ファスナーないし面状係止テープ（登録商標：マジックテープ）である。
【００２２】
図４は、前記頭部冷却用日除け１の一使用形態を示す斜視図である。
図４に示すように、利用者の頭部に被着されたヘルメットＨの周辺の後頭部側に、前記頭部冷却用日除け１を前記一対の帯材２６を介して吊り下げて支持する。その結果、前記日除け本体２によって、利用者の後頭部のほぼ全体が外部から覆われる。仮に、大きな体格の利用者であっても、図示のように、少なくとも上着Ｗの襟と利用者の頭髪Ｋの裾との間に、縦に短い僅かの隙間が残るに過ぎない。
上記頭部冷却用日除け１を、ヘルメットＨの周辺の後頭部側に、吊り下げて支持するには、図５（Ａ）に示すように、ヘルメットＨの内周面に沿って配置された顎掛け紐支持用のリング帯ｈｂに、前記一対の帯材２６の上半部を巻き付け、該上半部と下半部との面状ファスナー２７同士を係止することにより行われる。
【００２３】
あるいは、図５（Ｂ）に示すように、ヘルメットＨの外周面の周辺に沿って配置されたリング帯ｈｂに、前記一対の帯材２６の上端部ごとに取り付けた側面視が逆Ｕ字形状のフック（保持手段）３４を引っ掛けて支持することもできる。
前記頭部冷却用日除け１が前記のように吊り下げ支持された状態で、前記電池ボックス３０のスイッチ３２を投入すると、前記モーターＭが駆動し且つ前記ファンＦが高速回転（例えば、約数１００〜数１０００ｒｐｍ）することによって、図５（Ａ），（Ｂ）中の矢印で示すように、外気が外通気枠８の通気孔１１から貫通孔７側に流入し、前記ファンＦから受ける圧力により内通気枠１４の通気孔１７から、内側の利用者の後頭部に吹き付けられる。
【００２４】
その結果、夏季などの炎天下であっても、後頭部の頭髪Ｋ付近での発汗を抑制でき、且つ酷暑による熱中症などを発症することなく、所要の作業などを適切に行うことが可能となる。しかも、前記日除け本体２の内側面４から後頭部側に突出する内通気枠１４は、前記メッシュシート２０によって、全体が覆われているので、利用者の頭髪Ｋを前記ファンＦ側に巻き込む事態を確実に防止できる。
更に、前記日除け本体２の外側面３は、日光、風、雨水を遮り、且つ該日除け本体２の内側面４は、フェルト状の繊維群の布地からなっているので、利用者の頭髪Ｋや首筋を日焼けや擦り傷などで痛めることも皆無にすることができる。
【００２５】
従って、前記のような頭部冷却用日除け１によれば、前記効果（１）〜（５）を確実に奏することができる。
尚、前記フック３４を図５（Ａ）で示したように、ヘルメットＨの内周側におけるリング帯ｈｂに引っ掛けたり、あるいは、前記面状ファスナー２７を図５（Ｂ）で示したように、ヘルメットＨの外周側に配置されたリング帯ｈｂに巻き付けて、前記頭部冷却用日除け１をヘルメットＨから吊り下げて支持しても良い。
また、前記頭部冷却用日除け１を利用者の側頭部を覆うように支持しても良い。
【００２６】
本考案は、以上において説明した形態に限定されるものではない。
例えば、前記日除け本体２は、その外側面３と内側面４との間に、断熱性のシートを充填した複合（サンドイッチ）構造の形態としても良い。
また、前記貫通孔７を、日除け本体２における横方向に沿って２つ以上隣接あるいき離間して開設し、該貫通孔７ごとに前記外・内通気枠８，１４、モーターＭ、およびファンＦを配置した形態としても良い。かかる形態によれば、前記日除け本体２を一層横長のサイズとし、利用者の後頭部と少なくとも一方の側頭部との双方を、上記ファンＦごとにより強制的に冷却することが可能となる。
【００２７】
更に、本考案の保持手段に用いる前記帯材２６は、前記日除け本体２の上辺５に沿って３つ以上を取り付けても良い。
また、本考案の保持手段は、前記帯材２６と、該帯材２６の外側面または内側面の何れか一方に設けたホックとホック受け、ボタンとボタン孔、あるいは、鳩目と通し紐の組合わせからなる形態としても良い。
更に、前記貫通孔７が開口していない前記日除け本体２の内側面４に、前記ポケットＰ形態のメッシュシート２０を別途に縫い付け、該メッシュシート２０の内側に外形状が扁平な保冷剤を挿入し且つ保持可能とする形態としても良い。
加えて、本考案の頭部冷却用日除けは、例えば、製鋼工場などの高炉あるいは各種の工業炉などで作業する作業者の頭部に対して活用することも可能である。
【産業上の利用可能性】
【００２８】
本考案によれば、利用者の後頭部や側頭部や首筋を直射日光から遮り、該後頭部などに対し強い冷風を確実に吹き付けられ、髪を巻き込んだり、首筋を痛めず、快適に使用できると共に、組立、分解、および収納が容易な頭部冷却用日除けを確実に提供することができる。
【符号の説明】
【００２９】
１……………頭部冷却用日除け
２……………日除け本体
３……………外側面
４……………内側面
７……………貫通孔
８……………外通気枠
１１，１７…通気孔
１４…………内通気枠
１５…………円形状板
２０…………メッシュシート
２３…………メッシュシートの上辺
２６…………帯材（保持手段）
２７…………面状ファスナー
２８…………端子（リード線の先端）
３０…………電池ボックス
３４…………フック
Ｍ……………モーター
Ｆ……………ファン
Ｐ……………ポケット
Ｌ……………リード線
【図１】
0003210438.tif 000003
【図２】
0003210438.tif 000004
【図３】
0003210438.tif 000005
【図４】
0003210438.tif 000006
【図５】
0003210438.tif 000007
【手続補正書】
【提出日】平成29年3月7日(2017.3.7)
【手続補正１】
【補正対象書類名】実用新案登録請求の範囲
【補正対象項目名】全文
【補正方法】変更
【補正の内容】
【実用新案登録請求の範囲】
【請求項１】
利用者の頭部を日光から遮りつつ冷却する頭部冷却用日除け(１)であって、
側面視が横長の長方形状を呈し、頭部に隣接する内側面(４)および日光を遮る外側面(３)を有するシート状の日除け本体(２)と、
上記日除け本体(２)における横方向の中央付近の内側面(４)と外側面(３)との間を貫通する少なくとも１つの貫通孔(７)と、
上記貫通孔(７)の外側面(３)側に設けた外通気枠(８)と、
上記貫通孔(７)の内側面(４)側に設けられ、前記貫通孔(７)の中央側に位置する円形状板(１５)、および該円形状板(１５)と前記貫通孔(７)の周縁との間に位置する複数の通気孔(１７)を含む内通気枠(１４)と、
上記内通気枠(１４)における円形状板(１５)の内側面に取り付けられ、且つリード線(Ｌ)を介して外部から給電可能なモーター(Ｍ)、および該モーター(Ｍ)の回転軸に固定したファン(Ｆ)と、
上記日除け本体(２)の内側面(４)に縫い付けられ、且つ該内側面(４)側に突出する上記内通気枠(１４)を覆うメッシュシート(２０)と、
上記日除け本体(２)の外側面(３)に設けられ、該日除け本体(２)を利用者のヘルメット(Ｈ)あるいは帽子の周囲に吊り下げる支持手段(２６)と、を備えている、
ことを特徴とする頭部冷却用日除け(１)。
【請求項２】
前記メッシュシート(２０)は、側面視が矩形状を呈し、その上辺(２３)が開口するポケット(Ｐ)形態で前記日除け本体(２)の内側面(４)に縫い付けられている、
ことを特徴とする請求項１に記載の頭部冷却用日除け(１)。
【請求項３】
前記外通気枠(８)と前記内通気枠(１４)とは、前記日除け本体(２)における貫通孔(７)の周縁を挟んで互いに連結可能で且つ分離可能とされている、
ことを特徴とする請求項１または２に記載の頭部冷却用日除け(１)。
【請求項４】
前記モーター(Ｍ)が取り付けられた前記内通気枠(１４)の円形状板(１５)の周辺から延び出たリード線(Ｌ)は、前記ポケット(Ｐ)形態であるメッシュシート(２０)の上辺(２３)の開口部を通って外部に延び、当該リード線(Ｌ)の先端(２８)が電池ボックス(３０)に接続可能とされている、
ことを特徴とする請求項２に記載の頭部冷却用日除け。
【請求項５】
前記支持手段(２６)は、横方向に一対以上である縦長の帯材(２６)からなり、該帯材(２６)ごとの外側面に面状ファスナー(２７)を設けているか、あるいは、前記帯材(２６)ごとの上端部に側面視が逆Ｕ字形状のフック(３４)を取り付けている、
ことを特徴とする請求項１乃至４の何れか一項に記載の頭部冷却用日除け(１)。